(57)【要約】【課題】動力噴霧機のホースによって容易に農薬等の液体を噴霧することができるホースガイド装置を提供することを課題としている。【解決手段】運搬車１１に搭載した動力噴霧機１のホース巻取り装置９から延び出るホース３をガイドすることができるホースガイド装置７に、運搬車１１の車輪２９による踏み付けによってホースガイド装置７を地表面上又は地表面に近接する位置に固定する固定手段２８を設けた。またホースガイド装置７に、ホースガイド装置７内において移動するホース３が通過する洗浄液２６が収容された洗浄槽１２等からなる洗浄手段を一体的に設けた。【選択図】図２
2006204236.tif 000002
【特許請求の範囲】
【請求項１】
運搬車（１１）に搭載した動力噴霧機（１）のホース巻取り装置（９）から延び出るホース（３）のガイドが可能なホースガイド装置（７）であって、該ホースガイド装置（７）に、運搬車（１１）の車輪（２９）による踏み付けによってホースガイド装置（７）を地表面上又は地表面に近接する位置に固定する固定手段（２８）を設けたホースガイド装置。
【請求項２】
ホースガイド装置（７）に、ホース（３）の洗浄を行う洗浄手段を一体的に設けた請求項１のホースガイド装置。
【請求項３】
洗浄手段が、ホースガイド装置（７）内において移動するホース（３）が通過する洗浄液（２６）が収容された洗浄槽（１２）からなる請求項２のホースガイド装置。
【発明の詳細な説明】
【技術分野】
【０００１】
本発明は、農薬等の液体を畑等に噴霧する動力噴霧機のホース巻取り装置から延び出るホースをガイドすることが可能なホースガイド装置に関する。
【背景技術】
【０００２】
従来農薬等の液体をホースに送り出して噴霧する動力噴霧機が公知となっている（例えば特許文献１，２参照）。上記動力噴霧機には、ホースの巻き取り及び繰り出しを行うホース巻取り装置が備えられている。特に特許文献１には、ホース巻取り装置から延び出るホースをガイドするホースガイド装置が記載されている。
【０００３】
上記動力噴霧機の本体（特許文献１においてはホース巻取り装置を含む）は、運搬車に搭載されたままであり、動力噴霧機の本体や場合によってはホース巻取り装置を運搬車から降ろす重労働を行うことなく圃場に農薬等の液体を容易に噴霧することができるように構成されている。
【特許文献１】特開２００３−２３５４３１
【特許文献２】特開平９−１３５６５４
【発明の開示】
【発明が解決しようとする課題】
【０００４】
しかし動力噴霧機の本体を運搬車に搭載したまま圃場に向かってホースを供給すると、ホースは地表面より大きく離れた高所から送り出される。このため運搬車から引き出されたホースが揺れたり弛んだりして作物に接し、作物を傷める場合があるという欠点があった。
【課題を解決するための手段】
【０００５】
上記課題を解決するための本発明のホースガイド装置は、運搬車１１に搭載した動力噴霧機１のホース巻取り装置９から延び出るホース３のガイドが可能なホースガイド装置７であって、該ホースガイド装置７に、運搬車１１の車輪２９による踏み付けによってホースガイド装置７を地表面上又は地表面に近接する位置に固定する固定手段２８を設けたことを第１の特徴としている。
【０００６】
第２にホースガイド装置７に、ホース３の洗浄を行う洗浄手段を一体的に設けたことを特徴としている。
【０００７】
第３に洗浄手段が、ホースガイド装置７内において移動するホース３が通過する洗浄液２６が収容された洗浄槽１２からなることを特徴としている。
【発明の効果】
【０００８】
以上のように構成される本発明のホースガイド装置によると、運搬車に動力噴霧機の本体とホース巻取り装置とを搭載したまま農薬等の噴霧作業を行う場合、運搬車の近傍においてホースが地表面の近傍に下げられ、地表面に近接した状態で圃場に向かって引き出される。
【０００９】
これによりホースが円滑に移動する他、農薬等の噴霧作業中に、圃場に向かって引き出されるホースが揺れたり弛んだりして作物に接するという不都合を防止することができ、動力噴霧機の本体やホース巻取り装置を運搬車から降ろすことなく、ホースの接触による作物の傷みを防止しながら容易且つ円滑に農薬等の噴霧作業を行うことができる。
【００１０】
このときホースガイド装置は、固定手段によって位置が固定されて設置される。固定手段は、運搬車の車輪による踏み付けによってホースガイド装置を地表面上又は地表面に近接する位置に固定する。このためホースガイド装置の位置固定及び固定解除は、運搬車の移動による固定手段の踏み付け及び踏み付け解除によって簡単に行うことができ、特にアスファルト等の硬質な地表面にもホースガイド装置を容易に位置固定して設置することができる。
【００１１】
ホースガイド装置に、ホースの洗浄を行う洗浄手段を一体的に設けることによって、ホースガイド装置においてホースの洗浄等を行うことができ、ホースの衛生管理を容易に行うことができる他、ホースの洗浄装置を別に設ける必要がないという効果がある。またホース巻取り装置より下手側の装置でホースの洗浄が行われるため、ホースによりホース巻取り装置を汚す等の不都合も防止することができる。
【００１２】
そして洗浄手段を、ホースガイド装置内において移動するホースが通過する洗浄液が収容された洗浄槽から構成することによって、洗浄手段を簡単に構成することができる他、洗浄液の交換を容易に行うことができ、且つ洗浄液の機能を変更することによって洗浄機能を容易に変更することができるという利点がある。例えば洗浄液を洗浄のほか、殺菌や消毒機能を有するものとすることによって、洗浄手段をホースの殺菌や消毒を行うことができるものとすることができる。
【発明を実施するための最良の形態】
【００１３】
図１は、本発明のホースガイド装置を使用した動力噴霧機による農薬等の液体の噴霧作業状態を示す。上記動力噴霧機１は、圃場に噴霧する液体（本実施形態においては農薬）を収容したタンク２と、タンク２内の農薬をホース３に送り出す本体４と、ホース３の先端に設けられ、農薬を噴霧するノズル６とからなる。
【００１４】
本発明のホースガイド装置７は、ホース３の動力噴霧機１の本体４から延び出る部分をガイドする。ホース３のホースガイド装置７から延び出る部分をガイドするターンローラ８も使用されている。
【００１５】
動力噴霧機１の本体４には、ホース３の巻き取り及び繰り出しを行うホース巻取り装置９が内装されている。ホース３はホース巻取り装置９からホースガイド装置７に向かって延び出る。動力噴霧機１の本体４及びタンク２は運搬車である軽トラック１１の荷台に搭載されている。ノズル６は所定の幅に一度に農薬の噴霧を行うことができるように約６ｍ程度のブームタイプとなっている。
【００１６】
図１に示されるように、ノズル６を２人の作業者Ａ，Ｂが持ち、ホース巻取り装置９によってホース３を繰り出したり巻き取ったりしながら圃場内を順次往復して農薬の散布作業を行うことができる。なおノズル６は、散布場所や作業に応じて動力移動式等の様々なタイプのものを使用することができる。またタンク２内に収容する液体に応じて様々な液体の噴霧を行うこともできる。例えばタンク２内に水を収容することによって散水作業を行うこともできる。
【００１７】
動力噴霧機１の本体４は、エンジン等の動力を用いてタンク２内の農薬をホース３に圧送する従来公知のものであり、詳細な説明は割愛する。ホース巻取り装置９は、ホース３の送り出しや巻取りを、電動モータや動力噴霧機１のエンジン等の動力によって行うことができる従来公知のものである。
【００１８】
このためホース巻取り装置９はスイッチの入り切りによって電動モータや電磁弁等を作動させ、ホース３の送り出し、巻取り及び停止操作を行うことが可能となっている。ただしホース３の送り出し、巻取り及び停止作動は従来公知となっているため詳細な説明は割愛する。
【００１９】
ホースガイド装置７は、図２に示されるように、上方が開口した平面視で長方形をなすケース１２に、プーリ１３が自由回転自在に軸支されて構成されている。プーリ１３は、ケース１２の１組の対向する周壁１２ａ，１２ｂに軸支されている。プーリ１３の回動支点軸はケース１２における他の１組の対向する周壁１２ｃ，１２ｄに対して平行となっている。
【００２０】
プーリ１３には周面を挟んでフランジ１４が設けられている。図３に示されるように、ホース３は、両フランジ１４の間に通されてプーリ１３の周面に摺接する。ホースガイド装置７は、プーリ１３の自由回転によってホース３の移動を案内する。ホース３は、ケース１２におけるプーリ１３を支持していない両周壁１２ｃ，１２ｄの上方を通過してホースガイド装置７を出入りする。
【００２１】
図３に示されるように、ケース１２におけるプーリ１３を支持していない両周壁１２ｃ，１２ｄ及び底面１２ｅには、自由回転自在にローラ１６が軸支されている。ローラ１６はケース１２内に位置している。ローラ１６の回転軸心は、プーリ１３の回転軸心に対して平行となっている。ホース３はローラ１６とプーリ１３との間を通過する。
【００２２】
ホース３のノズル６側に位置するローラ１６ａのフレーム１７には、スプリング１８が設けられている。該ローラ１６ａはスプリング１８によってプーリ１３側に付勢されている。図４に示されるように、上記ローラ１６ａが取り付けられている周壁１２ｄには、ローラ１６ａに対向するようにリミットスイッチ１９が取り付けられている。
【００２３】
リミットスイッチ１９はホース巻取り装置９のホース３の送り出し及び停止操作を行うスイッチとなっている。リミットスイッチ１９のオンによって、ホース巻取り装置９がホース３の引き出し状態に駆動される。
【００２４】
ホース３を引き出すために、ホース３をノズル６側から引っ張ると、ホース３が上記ローラ１６ａをスプリング１８の付勢力に抗して押し込み、リミットスイッチ１９をオンする。これによりホース巻取り装置９がホース３の引き出し状態に駆動され、ホース巻取り装置９によってホース３が自動的に引き出される。上記ホース３の引っ張りを停止すると、リミットスイッチ１９がオフとなり、ホース３の引き出しが停止される。
【００２５】
ローラ１６ａが設けられた周壁１２ｄには、ホース３のガイド体２１が設けられている。ガイド体２１は、四角形をなす枠体２２からなる。該枠体２２はステー２３を介して上記周壁１２ｄに固定されている。枠体２２はケース１２の上方に配置される。ホース３は枠体２２内を通過する。
【００２６】
枠体２２の４つの周壁には、ローラ２４が自由回転自在に軸支されている。各ローラ２４は対応する周壁に沿って設けられている。各ローラ２４の回転軸心は対応する周壁に対して平行となっている。各ローラ２４は枠体２２内に配置されている。ホース３の引き出し及び巻き取りに伴ってホース３がローラ２４に接すると、ローラ２４が自由回転してホース３の引き出し又は巻き取りを円滑にガイドする。
【００２７】
図３に示されるように、ケース１２内にはプーリ１３の回動支点軸の近傍まで洗浄液２６が収容されている。このためホース３はホースガイド装置７において必ず洗浄液２６を通過する。ホース３は引き出し又は巻き取り時に上記洗浄液２６によって洗浄される。洗浄の効果は洗浄液に依存する。洗浄液が殺菌や消毒効果を有する場合はホース３は洗浄液によって洗浄，殺菌，消毒が行われる。
【００２８】
ケース１２には洗浄液２６内に位置するようにブラシ２７が自由回転自在に設けられている。該ブラシ２７は洗浄液２６内においてホース３に接し、ホース３の泥落し等を行う。ホース３はブラシ２７によって擦られながら洗浄液２６によって洗浄されるため、泥等が効率よくこそぎ落とされる。
【００２９】
ローラ１６が設けられた両周壁１２ｃ，１２ｄのうちホース３のホース巻取り装置９側の周壁１２ｃの外側には、ホースガイド装置７の位置を固定する固定板２８が設けられている。固定板２８は一枚の板の折り曲げによって形成されている。固定板２８は、軽トラック１１のタイヤ２９が収容されるタイヤ収容部３１を備えている。
【００３０】
該タイヤ収容部３１は、山形に折り曲げられた山折部３２に挟まれて形成されている。軽トラック１１のタイヤ２９が山折部３２を乗り越えることによって、図５に示されるように、タイヤ２９がタイヤ収容部３１に収容される。一方タイヤ収容部３１から山折部３２を乗り越えることによってタイヤ２９はタイヤ収容部３１から容易に脱出することができる。
【００３１】
軽トラック１１のタイヤ２９がタイヤ収容部３１内に位置している状態では、固定板２８をタイヤ２９が踏み付けている状態となり、ホースガイド装置７が位置固定される。この状態でケース１２はタイヤ２９の近傍に位置する。これによりホースガイド装置７が、軽トラック１１の近傍であって、且つ地表面上に位置固定されて設置される。
【００３２】
本ホースガイド装置７は地面に差し込むようなタイプではなく、ホースガイド装置７の位置固定及び固定解除は、軽トラック１１のタイヤ２９による固定板２８の踏み付け（タイヤ２９をタイヤ収容部３１内に収容する）及び踏み付け解除によって行われる。このためホースガイド装置７の位置固定及び固定解除は、軽トラック１１の移動によって簡単に行うことができ、アスファルト等の硬質な地表面にも容易に位置固定して設置することができる。
【００３３】
ターンローラ８は、図１に示されるように、地表面に設置されるスタンド３３の上端に設けられたリング状のフレーム３４に複数のローラ３６が自由回転自在に軸支された構造となっている。フレーム３４は一部が切欠きが設けられている。該切欠きを介してフレーム３４内にホース３を挿入することができる。
【００３４】
ホースガイド装置７から延びるホース３を切欠きからフレーム３４内に挿入してターンローラ８にセットすると、ホース３はホースガイド装置７とターンローラ８との間において地表面の近傍で概ね水平となる。ホース３を引き出すとホース３はターンローラ８のいずれかのローラ３６に接し、ローラ３６の自由回転によって移動が円滑に案内される。
【００３５】
ターンローラ８は農薬の噴霧場所、例えば畑の縁の低位置（地表面近傍）に設置される。必要に応じて複数のターンローラ８を設置することもできる。複数のターンローラ８を設置した場合は、所定のターンローラ８と他のターンローラ８との間にホース３が張られることになる。
【００３６】
本ホースガイド装置７によって、軽トラック１１の荷台にホース巻取り装置９を含む動力噴霧機１の本体４を搭載したまま農薬の噴霧作業を行う場合、軽トラック１１の近傍においてホース３が地表面の近傍に下げられ、地表面の近傍に位置するターンローラ８に向かって引き出され、軽トラック１１の近傍から畑の縁まで地表面の近傍においてホース３が移動する。
【００３７】
これにより地表面から大きく離れた高所となる軽トラック１１の荷台からターンローラ８に向かって直接ホース３を繰り出す場合のように、農薬の噴霧作業中にホース３が揺れたり弛んだりして作物に接するという不都合を防止することができ、ホース３の接触による作物の傷みを防止することができる。
【００３８】
このため軽トラック１１を畑やハウスの近傍に停車させて、ホース巻取り装置９から繰り出すホース３の長さを短くして、上記ホース３と作物との接触を防止しながら、農薬の噴霧作業をトラブルなく容易に行うことができる。
【００３９】
なおホース巻取り装置９から繰り出されたホース３はホースガイド装置７において洗浄液２６によって洗浄等がなされ、ホース３の衛生管理を容易に行うことができる。またホースガイド装置７がホース３の洗浄装置を兼ねるため、洗浄装置を各別に設ける必要がない。
【００４０】
そしてホース巻取り装置９とは別のホース巻取り装置９より下手側（ノズル６側）の装置でホース３の洗浄が行われるため、ホース３によりホース巻取り装置９を汚す等の不都合も防止することができる。なおケース１２内の洗浄液２６の交換は、洗浄液２６をケース１２から流し出し、新たな洗浄液を補給することによって容易に行われる。洗浄機能はケース１２内に入れる洗浄液の変更により容易に変更することができる。
【００４１】
なお本ホースガイド装置７は、動力噴霧機１から延び出るホース専用の装置である必要はなく、動力噴霧機１から延び出るホースをガイドすることができるものであればいかなるタイプのホースガイド装置にも適用することができる。
【００４２】
図６に示されるように、固定板２８に下端部が屈曲したゲート状のパイプからなる支持フレーム３７を介して、平面視略Ｕ字状をなすパイプからなるメインフレーム３８を取り付け、該メインフレーム３８にプーリ１３を軸支して取り付け、メインフレーム３８にＵ字状のパイプからなるスタンド３９を取り付けてにホースガイド装置７を構成することもできる。
【００４３】
図７に示されるように、ホース３のノズル６側を案内するローラ１６ａとリミットスイッチ（図示せず）とガイド体２２はメインフレーム３８に取り付けられたステー２３に設けられている。なお図７において図２〜図６と同一符号は同一部品を示し、その機能も同一であるため、詳細な説明は割愛する。この場合は、洗浄液内にホース３を通すことはできないが、簡単な構成で安価にホースガイド装置７を形成することができる。
【図面の簡単な説明】
【００４４】
【図１】動力噴霧機による農薬の噴霧作業状態を示す概要図である。
【図２】ホースガイド装置の斜視図である。
【図３】ホースガイド装置の背面透視図である。
【図４】ホースガイド装置の平面図である。
【図５】ホースガイド装置の側面透視図である。
【図６】他のホースガイド装置の斜視図である。
【図７】他のホースガイド装置の背面透視図である。
【符号の説明】
【００４５】
１    動力噴霧機
３    ホース
７    ホースガイド装置
９    ホース巻取り装置
１１  軽トラック（運搬車）
１２  ケース（洗浄槽）
２６  洗浄液
２８  固定板（固定手段）
２９  運搬車の車輪
【図１】
2006204236.tif 000003
【図２】
2006204236.tif 000004
【図３】
2006204236.tif 000005
【図４】
2006204236.tif 000006
【図５】
2006204236.tif 000007
【図６】
2006204236.tif 000008
【図７】
2006204236.tif 000009